(57)【要約】【課題】口金を口金基体と口金ピンカバーとで構成し、かつ口金基体と口金ピンカバーとの係合構造を簡素化した蛍光ランプ用口金、蛍光ランプ及び照明器具を提供することを目的とする。【解決手段】本発明は、発光管２が固着され、内部に配線空間１１ｄ及びこの配線空間１１ｄと連通する開口部１１ａを有する筒状の口金基体１１と、この口金基体１１に係合され、口金基体１１の配線空間１１ｄを閉塞するように開口部１１ａに取付けられるとともに、口金ピン１３が配設された口金ピンカバー１２と、前記口金基体１１の外周面から突設された一対の突起１４と、この突起１４の内側に向けて開口部１１ａに連通するように形成された凹部１６と、前記口金ピンカバー１２の外周から突設され、前記凹部１６に係合する一対の係止部１７とを具備する蛍光ランプ用口金１０である。【選択図】図３
2009110841.tif 000002
【特許請求の範囲】
【請求項１】
発光管が固着され、内部に配線空間及びこの配線空間と連通する開口部を有する筒状の口金基体と；
この口金基体に係合され、口金基体の配線空間を閉塞するように開口部に取付けられるとともに、口金ピンが配設された口金ピンカバーと；
前記口金基体の外周面から突設された一対の突起と；
この突起の内側に向けて開口部に連通するように形成された凹部と；
前記口金ピンカバーの外周から突設され、前記凹部に係合する一対の係止部と；
を具備することを特徴とする蛍光ランプ用口金。
【請求項２】
請求項１に記載の蛍光ランプ用口金と；
この蛍光ランプ用口金に固着され、屈曲した放電路を有する発光管と；
を具備することを特徴とする蛍光ランプ。
【請求項３】
器具本体と；
この器具本体に配設される請求項２に記載の蛍光ランプと；
を具備することを特徴とする照明器具。
【発明の詳細な説明】
【技術分野】
【０００１】
本発明は、コンパクト形蛍光ランプに適する口金、その口金を用いた蛍光ランプ及び照明器具に関する。
【背景技術】
【０００２】
従来、この種蛍光ランプの口金にあっては、合成樹脂で一体的に構成されている。特に、発光管の電極封止部の過度の温度上昇を防止するために、温度保護素子を設ける場合には、口金の部分を切り抜いて形成し、その収納部に温度保護素子を収納し、その後、収納部に接着剤を注入し、蓋をかぶせて外観の向上を図っている（特許文献１参照）。
【０００３】
一方、口金をバルブ支持体とピン支持体とで構成し、この内部に温度保護素子（温度ヒューズ）を収納し、リード線等の配線処理を施す技術が開示されている（特許文献２参照）。
【特許文献１】特開２０００−３０６６４号公報
【特許文献２】特開２００７−１１５６５８号公報
【発明の開示】
【発明が解決しようとする課題】
【０００４】
しかしながら、特許文献１に示されたものは、口金内に温度保護素子を配設するために収納空間を形成するものであり、構成が複雑化する問題がある。また、特許文献２に示されたものは、口金をバルブ支持体とピン支持体との二部材で構成し、口金内部に所定の配線処理を施すものであるが、バルブ支持体とピン支持体との具体的係合構造が開示されておらず、況しては、バルブ支持体とピン支持体とを係合する場合に生じる問題点に至っては全く示されていないものである。
【０００５】
本発明は、上記状況に鑑みなされたもので、口金を口金基体と口金ピンカバーとで構成し、かつ口金基体と口金ピンカバーとの係合構造を簡素化した蛍光ランプ用口金、蛍光ランプ及び照明器具を提供することを目的とする。
【課題を解決するための手段】
【０００６】
請求項１に記載の蛍光ランプ用口金は、発光管が固着され、内部に配線空間及びこの配線空間と連通する開口部を有する筒状の口金基体と；この口金基体に係合され、口金基体の配線空間を閉塞するように開口部に取付けられるとともに、口金ピンが配設された口金ピンカバーと；前記口金基体の外周面から突設された一対の突起と；この突起の内側に向けて開口部に連通するように形成された凹部と；前記口金ピンカバーの外周から突設され、前記凹部に係合する一対の係止部と；を具備することを特徴とする。
【０００７】
口金基体の配線空間には、蛍光ランプの電極と口金ピンとを接続するリード線や温度保護素子等の配線部材が配設されることを予定している。但し、温度保護素子を配設することは、この発明にとって必須ではない。
【０００８】
突起は、口金ピンをソケットに接続するに際し、ソケット側と協働して口金の連結をガイドし、位置決めする機能を有する。口金ピンカバーに設けられた係止部は、突起に形成された凹部に嵌合してもよいが、多少の隙間を存していてもよく、要は、口金ピンカバーが口金基体の配線空間側に向けた力が加わった場合に移動を阻止するように係合していればよい。
【０００９】
請求項２に記載の蛍光ランプは、請求項１に記載の蛍光ランプ用口金と；この蛍光ランプ用口金に固着され、屈曲した放電路を有する発光管と；を具備することを特徴とする。
【００１０】
請求項３に記載の照明器具は、器具本体と；この器具本体に配設される請求項２に記載の蛍光ランプと；を具備することを特徴とする。
【発明の効果】
【００１１】
本発明は、口金を口金基体と口金ピンカバーとで構成し、かつ口金基体と口金ピンカバーとの係合に関し、突起の凹部を利用して口金ピンカバーが口金基体側に押込まれないようにすることにより、係止用の係合手段を特別に設ける必要がなく、簡素化した構成により、商品性を損なうことのない蛍光ランプ用口金、蛍光ランプ及び照明器具を提供することができる。
【発明を実施するための最良の形態】
【００１２】
以下、本発明の蛍光ランプ用口金及び蛍光ランプの実施形態について図１乃至図７を参照して説明する。図１は、蛍光ランプを示す正面図、図２は、蛍光ランプ用口金を示す斜視図、図３は、蛍光ランプ用口金を分解して示す斜視図、図４は、口金ピンカバー及び口金基体の平面図、図５は、同正面図、図６は、同側面図、図７は、蛍光ランプ用口金の断面図である。
【００１３】
図１において、１はコンパクト形の蛍光ランプであり、発光管２と口金１０とで構成されている。このコンパクト形蛍光ランプ１は、長さが５６０mmである。発光管１０は、管径が２０mmの２本のガラスチューブ２ａ、２ｂを、その端部相互で接合して構成されている。２本のガラスチューブ２ａ、２ｂはそれぞれソーダライムガラス等からなり、隣接する端部の側壁をそれぞれ加熱して吹き破り、この吹き破り箇所を相互に突き合わせて融着することによって接合されている。よって、これら２本のガラスチューブ２ａ、２ｂは接合部２ｃにより相互に機械的に接合されているとともに、接合部２ｃを通じて各ガラスチューブ２ａ、２ｂの空間部が相互に導通されており、このため発光管２内は全体として１本の屈曲した放電路を形成している。
【００１４】
屈曲した放電路の端部に相当する各ガラスチューブ２ａ、２ｂの端部には、電極が封装されている（図示しない）。電極の両端はそれぞれリード線に接続されており、これらリード線は、ガラスチューブ２ａ、２ｂの端部に封着されたフレアステムを気密に貫通して外部リード線に接続されている。
【００１５】
発光管２は口金１０に固定されている。口金１０は、図２に示すように、全体形状がほぼ長円形柱状であり、ＪＩＳ規格で定められたＧＹ１０ｑ形口金である。口金１０は、例えば、ポリブチレンテラフタレート（ＰＢＴ）樹脂等の絶縁体からなる成形された略筒状の口金基体１１と、この口金基体１１の一端に形成された開口部１１ａ（図３参照）に被せられた同じくＰＢＴ樹脂等の絶縁体からなる口金ピンカバー１２とから構成されている。この口金ピンカバー１２には黄銅等の導電材料からなる合計４本の口金ピン１３・・・が突設されている。そして、口金基体１１の外周面からは、ソケットへ連結する際の位置決め用の一対の突起１４、１４が口金基体１１の中心に対して１８０度対称の位置に突設されている。また、この一対の突起１４、１４に隣接した位置には異種蛍光ランプの誤挿入を防止する誤挿入防止用の凹溝１５、１５が形成されている。
【００１６】
次に、図３乃至図６においては、口金基体１１と口金ピンカバー１２を分離した状態を示している。口金基体１１は、中空状であり、一端側を口金ピンカバー１２が装着される開口部１１ａとし、他端側を中央分離壁１１ｃで区画して、発光管２が挿入される挿入孔１１ｂ、１１ｂとして形成している。開口部１１ａ側の外周面には、対向位置に突起１４、１４が形成されている。この突起１４、１４は、図示上、逆山型状部を有し、蛍光ランプ１をソケットに連結するに際し、蛍光ランプ１の連結をガイドし、位置決めする機能を有する。具体的には、口金ピン１３・・・をソケットに接続するに際し、ソケット側と協働して蛍光ランプ１の連結をガイドし、口金ピン１３・・・がソケット側の給電ばね端子に狭持されるように弾性力が加えられることにより、位置決め支持されるようになっている。
【００１７】
突起１４、１４の内側には、凹部１６、１６が形成されており、この凹部１６、１６は口金基体１１の配線空間１１ｄ及び開口部１１ａと連通している。さらに、口金基体１１の開口部１１ａ近傍の対向する内壁には、口金ピンカバー１２が係合する係合突起１１ｅ、１１ｅが形成されている。
【００１８】
口金ピンカバー１２は、口金基体１１の開口部１１ａ内周形状に適合する外周形状をなし、表面には、上記４本の口金ピン１３・・・が突設されている。これら口金ピン１３・・・は、相互に所定寸法で離間して配置されている。そして、口金ピンカバー１２の外周には、対向位置に係止部１７、１７が突設されている。この係止部１７、１７は、表面形状が方形であり、側面形状がほぼＴ字状（図６参照）に形成されている。また、口金ピンカバー１２の外周側壁には、上記口金基体１１の係合突起１１ｅ、１１ｅと係合する係合凹部１２ａ、１２ａが形成されている。口金ピンカバー１２は、口金基体１１の配線空間１１ｄを閉塞するように、口金基体１１の開口部１１ａに取付けられるようになっている。
【００１９】
次に、蛍光ランプ１の組立工程の概要を説明する。上記発光管２の挿入孔１１ｂ、１１ｂに発光管２を差込み、接着剤により発光管２の端部を口金基体１１に固着する。そして、発光管２の端部から導出された外部リード線１８に温度ヒューズ等の温度保護素子１９を接続する。ここでは、温度保護素子１９を２個設けており、それぞれ中央分離壁１１ｃの口金基体１１内壁側に配設されている（図４参照）。この温度保護素子１９は、蛍光ランプ１の寿命末期における発光管２の端部の過度の温度上昇を防止するためのものである。続いて、外部リード線１２を口金ピン１３・・・に挿通させて導出し、口金基体１１に口金ピンカバー１２を被冠する。この場合、口金ピンカバー１２の外周側壁に形成された係合凹部１２ａ、１２ａが、口金基体１１の内壁に形成された係合突起１１ｅ、１１ｅに係合することにより、口金基体１１と口金ピンカバー１２は係着される。したがって、口金基体１１と口金ピンカバー１２とで形成される空間は、外部リード線１８等の配線処理空間を構成するものである。最後に、口金ピン１３・・・をポンチでかしめ、導出端部の余剰部分を切断する。
【００２０】
さらに、図７の断面図に示すように、口金基体１１と口金ピンカバー１２が係着した状態では、係止部１７、１７が凹部１６、１６に嵌合し、係止部１７、１７の下端面１７ａ、１７ａが凹部１６、１６の上面１６ａ、１６ａに当接する。したがって、口金ピンカバー１２は、口金基体１１との係合関係において、係合凹部１２ａ、１２ａと係合突起１１ｅ、１１ｅによる係合ばかりではなく、係止部１７、１７が凹部１６、１６に嵌合することにより、口金ピンカバー１２の口金基体１１への係合方向の移動を確実に阻止することができる。つまり、口金ピンカバー１２に押込み力が働いても、口金ピンカバー１２が押込まれて口金基体１１に没入するようなことを防止することができる。なお、係止部１７、１７の下端面１７ａ、１７ａが凹部１６、１６の上面１６ａ、１６ａに当接することなく、多少の隙間が存在することは許容される。
【００２１】
次に、図８を参照して口金の他の実施形態について説明する。なお、上述の実施形態と同一又は相当部分には同一符号を付し、その重複した説明は省略する。上述の実施形態と異なるのは、口金基体１１の中央分離壁１１ｃを口金ピン１３・・・方向に延出した点である。この延出壁１１２は、口金基体１１の配線空間１１ｄをほぼ二分するものであり、図示上その上端１１２ａには、口金ピンカバー１２の周縁下端１２１が当接されるようになっている。すなわち、この実施形態によれば、係止部１７、１７が凹部１６、１６に嵌合することに加え、口金ピンカバー１２の周縁下端１２１が延出壁１１２に当接されることによっても口金ピンカバー１２の口金基体１１への係合方向の移動を阻止するようになっている。
【００２２】
以上のように構成された蛍光ランプ１のソケットへの接続について、図９の側面図を参照して説明する。ソケット２０は、照明器具に配設されており、ソケットベース２１と、ガイドプレート２２とから構成されている。ソケットベース２１には、蛍光ランプ１の口金ピン１３・・・に対応して４個の受金端子２１ａ・・・が設けられている。また、ガイドプレート２２の両翼２２ａ、２２ａの内側には、口金１０の位置決め突起１４、１４が適合するガイド部２２ｂ、２２ｂが形成されている。
【００２３】
蛍光ランプ１のソケット２０への接続は、まず、蛍光ランプ１の口金ピン１３・・・をソケット２０の受金端子２１ａ・・・目掛けて、矢印Ａ方向に挿入する。このとき、口金１０の突起１４、１４がガイド部２２ｂ、２２ｂに案内される。この状態から、蛍光ランプ１を口金ピン１３・・・を中心として、矢印Ｂ方向に回動し、水平状態にする。そして、蛍光ランプ１の他端部を照明器具に配設されたランプホルダ（図示しない）に装着し、ソケット２０への接続が完了する。
【００２４】
以上のように本実施形態によれば、口金１０を口金基体１１と口金ピンカバー１２とで構成し、口金基体１１と口金ピンカバー１２との間に配線処理空間を形成したので、簡単な構成でリード線や温度ヒューズ等の配線部材を配設することができる。また、口金ピンカバー１２の係止部１７、１７が口金基体１１の凹部１６、１６に嵌合することにより、口金ピンカバー１２の口金基体１１への係合方向の移動を確実に阻止することができ、口金１０をソケットに接続する等の場合において、口金ピンカバー１２に押込み力が加わっても口金ピンカバー１２が口金基体１１へ没入するようなことがない。したがって、安全で、商品性を損なうことがない口金１０、蛍光ランプ１を提供できる。しかも、この構成にあたって、すなわち、凹部１６、１６を形成するのに突起１４、１４を有効的に利用しているので、口金１０内のスペースを有効に利用して、口金構成及び成形金型の複雑化を回避できる。加えて、口金基体１１の配線空間１１ｄに突起物等の障害物を形成することにはならないので、リード線等の配線処理作業の作業性を悪化させるようなことがない。
【００２５】
次に、本発明の照明器具の実施形態について説明する。図示は省略するが、上記実施形態の蛍光ランプは、器具本体に配設し、照明器具として構成できる。例えば、屋内又は屋外で使用されるトンネル用照明器具等に適用可能である。よって、このような照明器具によれば、上記実施形態の蛍光ランプの効果を奏する照明器具を提供できる。
【図面の簡単な説明】
【００２６】
【図１】本発明の蛍光ランプの実施形態を示す正面図である。
【図２】本発明の蛍光ランプ用口金の実施形態を示す斜視図である。
【図３】同蛍光ランプ用口金を分解して示す斜視図である。
【図４】同蛍光ランプ用口金の口金ピンカバー及び口金基体の平面図である。
【図５】同正面図である。
【図６】同側面図である。
【図７】本発明の蛍光ランプ用口金の実施形態を示す断面図である。
【図８】同蛍光ランプ用口金の他の実施形態を示す断面図である。
【図９】同蛍光ランプのソケットへの接続を示す側面図である。
【符号の説明】
【００２７】
１              蛍光ランプ
２              発光管
１０            口金
１１            口金基体
１１ａ          開口部
１１ｄ          配線空間
１２            口金ピンカバー
１３・・・      口金ピン
１４、１４      突起
１６、１６      凹部
１７、１７      係止部
【図１】
2009110841.tif 000003
【図２】
2009110841.tif 000004
【図３】
2009110841.tif 000005
【図４】
2009110841.tif 000006
【図５】
2009110841.tif 000007
【図６】
2009110841.tif 000008
【図７】
2009110841.tif 000009
【図８】
2009110841.tif 000010
【図９】
2009110841.tif 000011